(57)【要約】【課題】陳列商品の大きさ、個数等に適合する任意の大きさ及び形状の陳列面を形成することができる商品陳列用具を形成するためのピースを提供すること。【解決手段】商品陳列用具を形成するために用いられるピース（２０）は、頂面、これに連なる複数の側面及び前記頂面に相対する底面を有する箱状体（２２）からなり、箱状体はその側面にこれを他の箱状体と同じ姿勢で連結するための連結部（２４）を有する。【選択図】図２
0003120772.tif 000002
【実用新案登録請求の範囲】
【請求項１】
商品陳列用具を形成するために用いられるピースであって、
頂面、これに連なる複数の側面及び前記頂面に相対する底面を有する箱状体からなり、
前記箱状体はその側面にこれを他の箱状体と同じ姿勢で連結するための連結部を有する、ピース。
【請求項２】
前記箱状体は、正方形の頂面、該頂面に連なる４つの側面及び前記頂面に相対する開放底面を有する、請求項１に記載のピース。
【請求項３】
前記連結部は前記箱状体の互いに隣接する２つの側面のそれぞれに設けられた２組の突起及び前記開放底面に連なる第１の切欠きと、他の２つの側面にそれぞれ設けられ前記開放底面に連なる２つの第２の切欠きとからなり、
前記突起は他の箱状体の第１の切欠き又は第２の切欠きに係止可能であり、前記突起が前記切欠きに係止するとき、両箱状体はこれらの一側面において互いに接する、請求項２に記載のピース。
【請求項４】
前記突起は前記箱状体の開放底面からその頂面の方向へ伸びるウエブと該ウエブに連なるフランジとからなり、
前記第１の切欠きは、前記箱状体の開放底面からその頂面に向けて伸びるスリットと、該スリットに連なる開口とからなり、
また、前記第２の切欠きは前記箱状体の開放底面からその頂面に向けて伸びるスリットからなり、
前記ウエブは他の箱状体の第１の切欠きのスリット又は第２の切欠きのスリットを挿通可能であり、また前記ウエブ及びフランジは前記第１の切欠きの開口を挿通可能である、請求項３に記載のピース。
【請求項５】
さらに、前記箱状体の頂面に設けられた凹部又は凸部と、その底面に設けられた凸部又は凹部とを含み、前記底面の凸部又は凹部は前記箱状体が他の箱状体に積み重ねられるとき、前記他の箱状体の頂面の凸部又は凹部に係合可能である、請求項１又は２に記載のピース。
【請求項６】
さらに、前記箱状体の頂面とその側面との間に設けられた段部とを含み、
前記段部は、他の箱状体がその開放底面において着座可能である、請求項２に記載のピース。
【請求項７】
さらに、前記箱状体はその各側面に設けられた凹部及び凸部を含み、
前記凹部及び凸部は、それぞれ、他の箱状体の凸部及び凹部に係合可能である、請求項１又は２に記載のピース。
【考案の詳細な説明】
【技術分野】
【０００１】
本考案は、スーパーマーケットのような店舗に設置される陳列台上に商品を配置する際に使用される商品陳列用具を形成するために用いられるピースに関する。
【背景技術】
【０００２】
従来、陳列台上に段状の陳列面を形成するための商品陳列用具が提案されている（後記特許文献１参照）。この商品陳列用具は大きさの異なる複数の板状体を積み重ねてなる。また、前記板状体は複数の分割片からなり、これらの分割片を組み立てることにより形成される。
【０００３】
ところで、前記板状体は予め定められた大きさ及び形状のものからなり、前記分割片はこのような板状体の形成のためにのみ用いられる。このため、前記従来の商品陳列用具では、陳列商品の大きさ、個数等に応じてこれに適合する任意の大きさ及び形状の陳列面を形成することはできなかった。
【０００４】
【特許文献１】特開２００３−２４５１７６号公報
【考案の開示】
【考案が解決しようとする課題】
【０００５】
本考案は、陳列商品の大きさ、個数等に適合する任意の大きさ及び形状の陳列面を形成することができる商品陳列用具を形成するためのピースを提供することにある。
【課題を解決するための手段】
【０００６】
本考案は、商品陳列用具を形成するために用いられるピースに係り、前記ピースは頂面、これに連なる複数の側面及び前記頂面に相対する底面を有する箱状体からなり、前記箱状体はその側面にこれを他の箱状体と同じ姿勢で連結するための連結部を有する。
【０００７】
前記箱状体は、例えば、正方形の頂面、該頂面に連なる４つの側面及び前記頂面に相対する開放底面を有する。
【０００８】
前記連結部は前記箱状体の互いに隣接する２つの側面のそれぞれに設けられた２組の突起及び前記開放底面に連なる第１の切欠きと、他の２つの側面にそれぞれ設けられ前記開放底面に連なる２つの第２の切欠きとからなり、前記突起は他の箱状体の第１の切欠き又は第２の切欠きに係止可能であり、前記突起が前記切欠きに係止するとき、両箱状体はこれらの一側面において互いに接するものとすることができる。
【０００９】
前記突起は前記箱状体の開放底面からその頂面の方向へ伸びるウエブと該ウエブに連なるフランジとからなり、前記第１の切欠きは、前記箱状体の開放底面からその頂面に向けて伸びるスリットと、該スリットに連なる開口とからなり、また、前記第２の切欠きは前記箱状体の開放底面からその頂面に向けて伸びるスリットからなり、前記ウエブは他の箱状体の第１の切欠きのスリット又は第２の切欠きのスリットを挿通可能であり、また前記ウエブ及びフランジは前記第１の切欠きの開口を挿通可能であるものとすることができる。
【００１０】
前記ピースは、さらに、前記箱状体の頂面に設けられた凹部又は凸部と、その底面に設けられた凸部又は凹部とを含むものとすることができ、前記底面の凸部又は凹部は前記箱状体が他の箱状体に積み重ねられるとき、前記他の箱状体の頂面の凸部又は凹部に係合可能である。
【００１１】
さらに、前記箱状体の頂面とその側面との間に設けられた段部とを含み、前記段部は、他の箱状体がその開放底面において着座可能であるものとすることができる。
【００１２】
さらに、前記箱状体の各側面に設けられた凸部及び凹部を含み、前記凸部及び凹部は、それぞれ、他の箱状体の凹部及び凸部に係合可能であるものとすることができる。
【考案の効果】
【００１３】
本考案によれば、商品陳列用具を形成するためのピースが頂面、複数の側面及び低面を有する箱状体からなり、各箱状体がその側面にこれらを同じ姿勢で相互連結するための連結部を有することから、前記箱状体の数量を選定してこれらの箱状体を相互連結することにより、所望の大きさの面積を有する複数の板状体を得ることができる。得られた板状体を積み重ねることにより、陳列商品の大きさ、個数等に適合する所望の大きさ及び形状の陳列面を有する商品陳列用具を形成することができる。
【００１４】
前記箱状体として、正方形の頂面、該頂面に連なる複数の側面及び前記頂面に相対する開放底面を有するものを用いることができる。
【００１５】
前記箱状体を相互に連結するための連結部について、前記箱状体の互いに隣接する２つの側面のそれぞれに突起及び第１の切欠きを設け、２つの箱状体がこれらの２組の突起及び第１の切欠きを介して連結されるようにすることにより、両箱状体相互の連結をより強固なものとすることができる。互いに連結される箱状体の数量によっては、周囲に前記突起が現れないようにすることができる。
【００１６】
前記箱状体相互の連結に供される突起、第１の切欠き及び第２の切欠きは、それぞれ、例えばＴ形の横断面形状を有するウエブ及びフランジからなるもの、スリット及びこれに連なる開口からなるもの、及びスリットからなるものとすることができる。
【００１７】
前記箱状体の頂面に凹部又は凸部を設け、かつその底面に凸部又は凹部を設け、前記底面の凸部又は凹部について、前記箱状体が他の箱状体に積み重ねられるとき、前記他の箱状体の頂面の凸部又は凹部に係合可能とすることにより、積み重ねられた上下の両箱状体相互の位置ずれを防止し、これにより商品陳列用具の形状を確実に維持することができる。
【００１８】
また、前記箱状体の頂面とその側面との間に段部を設けるときは、２つの箱状体を重ね合わせるとき、上方の箱状体の開放底面を下方の箱状体の段部上に着座させることができ、これにより、両箱状体相互の位置ずれを防止し、これにより商品陳列用具の形状を確実に維持することができる。
【００１９】
また、前記箱状体の側面に凹部及び凸部を設けるときは、両箱状体が側面を接して連結されるときの前記凹部及び凸部の相互係合により、両箱状体相互の位置ずれを防止し、これにより商品陳列用具の形状を確実に維持することができる。
【考案を実施するための最良の形態】
【００２０】
図１を参照すると、商品陳列用具１０が陳列台１２上に載置されている。
【００２１】
図示の商品陳列用具１０は、段をなすように積み重ねられた３つの矩形の板状体１４，１６，１８、すなわち最も表面積の大きい最下段の板状体１４と、これより表面積の小さい中段の板状体１６と、最も表面積の小さい最上段の板状体１８とからなり、各段を規定する板状体１４，１６，１８が商品の載置面を規定する。
【００２２】
これらの板状体１４，１６，１８は、図２に示す一種類のピース２０の複数個を互いに連結することにより形成される。
【００２３】
ピース２０は、例えばプラスチック材料により形成された、連結部２４を有する箱状体２２からなる。
【００２４】
箱状体２２は、正方形の平面形状を有する頂面２６と、該頂面に連なる４つの側面２８と、頂面２６に相対する該頂面と同形の開放底面３０とを備える。
【００２５】
箱状体２２の頂面２６の平面形状は、図示の正方形の平面形状の例に代えて、他の矩形、三角形、五角形等の他の多角形とすることができる。この場合には、いうまでもなく、頂面に連なる側面の数は変化する。また、開放底面３０に代えて、これを頂面２２と同様の非開放の底面とすることができる。
【００２６】
箱状体２２の各側面２８は、図示の例では頂面２６と同じ大きさの正方形の平面形状を有する。この例に代えて、側面２８の平面形状を前記正方形の一辺の大きさ（高さ寸法）より大きい又は小さい高さ寸法を有する矩形とすることができる。
【００２７】
箱状体２２の連結部２４は、互いに隣接する２つの側面２８にそれぞれ設けられた２組の突起３２及び切欠き（第１の切欠き）３４と、他の２つの側面２８にそれぞれ設けられた他の２つの切欠き（第２の切欠き）３６（図３参照）とからなる。
【００２８】
１組の突起３２及び第１の切欠き３４は、これらが形成された側面２８の一辺（底辺）のほぼ中央部に該底辺に沿って互いに間隔をおいて配置されている。また、第２の切欠き３６は第１の切欠き３４、より詳細には第１の切欠き３４における後記スリット４２に相対する位置に配置されている。
【００２９】
突起３２は側面２８の前記一辺、したがって開口底面３０に近接して設けられている。突起３２はウエブ３８と、該ウエブに連なりかつ側面２８に相対する矩形状のフランジ４０とからなる。ウエブ３８及びフランジ４０は共に箱状体２２の開放底面からその頂面２６の方向へ伸びており、Ｔ形の横断面形状を有する。
【００３０】
第１の切欠き３４は、箱状体２２の開放底面３６に連なるスリット４２と、該スリットに連なる矩形状の開口４４とからなる。スリット４２は箱状体２２の開放底面３０からその頂面２６に向けて伸び、開口４４はスリット４２からさらに頂面２６に向けて伸びている。スリット４２は突起３２の長さ寸法とほぼ同じ長さ寸法を有し、突起３２の側方を伸長している。
【００３１】
また、第２の切欠き３６は、箱状体２２の開放底面３６に連なるスリット４６のみからなる。このスリット４６は、第１の切欠き３４におけるスリット４２と同一の形状及び大きさを有する。
【００３２】
ここにおいて、スリット４２，４６の幅寸法はウエブ３８の厚さ寸法よりわずかに大きい。また、突起３２のウエブ３８の高さ寸法すなわちフランジ４０と該フランジが相対する側面２８との間の距離は、ほぼ側面２８の厚さ寸法に等しい。このため、一の箱状体２２における突起３２のウエブ３８は、他の箱状体２２における第１の切欠きのスリット４２又は第２の切欠きのスリット４６への開放底面３６からの挿通が可能であり、挿通されたとき、前記他の箱状体２２の側面２８が前記一の箱状体２２におけるフランジ４０と側面２８との間に挟持され（すなわち、突起３２がスリット４２又は４６に係止され）、両箱状体２２の相対する側面２８が互いに接する。
【００３３】
また、第１の切欠き３４の開口４４は、突起３２のフランジ４０より大きい。このため、前記他の箱状体２２における突起３２のフランジ４０は前記一の箱状体２２における第１の切欠きの開口４４を挿通可能であり、挿通されたとき、箱状体２２内での横方向移動が可能であり、また開口４４からスリット４２に向けてのウエブ３８の移動が可能である。前記他の箱状体２２のウエブ３８の前記一の箱状体２２のスリット４２への挿通により、前記したと同様、前記一の箱状体２２の側面２８が前記他の箱状体２２におけるフランジ４０と側面２８との間に挟持され（すなわち、突起３２がスリット４２に係止され）、両箱状体２２の相対する側面２８が接する。
【００３４】
このような箱状体２２同士の相互連結は、図３〜図６に示すように、箱状体２２を上下逆様にして行うことができる。
【００３５】
図３を参照すると、既に連結されている３つの箱状体２２（１），２２（２），２２（３）のうちの２つの箱状体２２（１），２２（３）に対し、これから連結される箱状体２２を図示のように配置する。すなわち、箱状体２２をその突起３２が設けられた２つの側面２８が、それぞれ、２つの箱状体２２（１），２２（３）の突起３２が設けられた２つの側面２８に面するように配置する。このとき、箱状体２２の開放底面３０が両箱状体２２（１），２２（３）の突起３２より下方位置にあるようにされる。
【００３６】
その後、箱状体２２をその突起３２が箱状体２２（１）の第１の切欠き３４の開口４４を挿通するまで矢印４８の方向へ移動させる。
【００３７】
次に、図４に示すように、箱状体２２をその突起３２が箱状体２２（３）の第１の切欠き３４の開口４４を挿通するまで矢印５０の方向へ移動させる。このとき、箱状体２２（１）における開口４４内をこれに挿通された箱状体２２の突起３２のウエブ３８が横方向へ移動し、その結果、ウエブ３８が開口４４に連なるスリット４２下に至る。同時に、箱状体２２（３）における開口４４内においては、該開口内に至った突起３２のウエブ３８が開口４４に連なるスリット４２下に位置する。また、箱状体２２の両スリット４２が、それぞれ、両箱状体２２（１），２２（３）の突起３２下に至る。
【００３８】
その後、図５に示すように、箱状体２２を矢印５２の方向へ移動させる。その結果、３つの箱状体２２，２２（１），２２（３）の４つのウエブ３８がこれらに対応する４つのスリット４２に挿通される。箱状体２２の矢印５２の方向への移動は、該箱状体の開放底面３０が箱状体２２（１），２２（３）の開放底面３０と同じレベルに達するまで行う。これにより、図６に示すように、同じ姿勢で互いに連結された４つの箱状体２２，２２（１），２２（２），２２（３）からなる板状体が形成される。
【００３９】
この例にあっては、任意の２つの箱状体２２が２組の突起３２及び第１の切欠き３４によってより強固に連結されている。また、突起３２は、得られた前記板状体の周囲に現れない。
【００４０】
突起３２が前記板状体の周囲に現れないような箱状体２２相互の連結は、図７に示すようにしても行うことができる。
【００４１】
この例では、９つの箱状体２２（１）〜２２（９）が相互に連結される。これらの箱状体のうち、箱状体２２（１）と箱状体２２（２）、箱状体２２（１）と箱状体２２（４）、箱状体２２（２）と箱状体２２（５）、箱状体２２（３）と箱状体２２（６）、箱状体２２（７）と箱状体２２（８）が、それぞれ、一つの突起３２と第２の切欠き３６との相互係止により互いに連結されている。他の箱状体は２組の突起３２及び第１の切欠き３４により互いに連結されている。
【００４２】
図８に示すように、このようにして連結された９つの箱状体２２からなる正方形状の板状体のコーナ部に位置する箱状体２２（９）を、これに代えて、頂面が直角二等辺三角形の平面形状を有する箱状体５４とすることができる。これにより、前記板状体について、前記コーナ部を角張ったものから角張っていないものに変更することができる。
【００４３】
箱状体５４の頂面５６の二等辺はそれぞれ箱状体の頂面２６の正方形の一辺の長さに等しい。箱状体５４は、頂面５６に連なる３つの側面５８（その一つのみを示す。）を有する。頂面５６の二等辺に連なる２つの側面５８には、それぞれ、箱状体２２における２組の突起３２及び切欠き３４と全く同様に２組の突起及び切欠きが設けられている。
【００４４】
箱状体５４の前記２組の突起及び切欠きは、箱状体２２同士と同様の関係で、それぞれ、箱状体２２（６）の１組の突起３２及び切欠き３４と箱状体（８）の１組の突起３２及び切欠き３４とに係止している。
【００４５】
なお、突起３２及び第１の切欠き３４の相互係止、又は突起３２及び第２の切欠き３６の相互係止により、任意の数量の箱状体２２を互いに連結し、任意の大きさの板状体とすることができる。
【００４６】
箱状体２２は、好ましくは、頂面２６と側面３４との間に設けられた段部６０（図２参照）を有する。段部６０は頂面２６よりも低位に位置する平坦面からなり、頂面２６の平面形状である正方形の四辺に沿って環状に伸びている。このような段部は、箱状体５４の頂面５６と３つの側面５８との間にも形成することができる。
【００４７】
板状体１４上に板状体１６を積み重ねるとき、又は板状体１６上に板状体１８を積み重ねるとき、下方の箱状体２２の段部６０に、上方の箱状体２２の開放底面３０が着座可能である。開放底面３０の段部６０上への着座により、下方の箱状体２２に対する上方の箱状体２２の横方向へのずれを防止することができる。
【００４８】
箱状体２２に段部６０を設けかつ箱状体２２の低面を開放底面とする図示の例に代えて、箱状体２２について、非開放の底面を有し、かつ、前記頂面及び前記非開放の底面にそれぞれ凹部及び凸部が設けられたものとすることができる。前記頂面の凹部と前記底面の凸部とは、箱状体２２の上に他の箱状体２２が積み重ねられるとき、互いに係合するようにその配置位置、その大きさ、その数量、その形状等が定められる。このような凹部及び凸部の配置によっても、下方の箱状体２２に対する上方の箱状体２２の横方向へのずれを防止することができる。なお、前記頂面に凹部を設けかつ前記底面に凸部を設けることに代えて、前記頂面に凸部を設けかつ前記底面に凹部を設けてもよい。
【００４９】
好ましくは、さらに、箱状体２２は各側面２８に設けられた一組の凹部６２及び凸部６４を有する。図示の凹部６２及び凸部６４は、箱状体２２の開放底面の近傍に互いに間隔をおいて配置されている。
【００５０】
箱状体２２同士がこれらの側面を接して連結されるとき、一方の箱状体の凹部６２及び凸部６４にそれぞれ他方の箱状体の凸部６４及び凹部６２に係合する。これにより、互いに連結された箱状体２２相互のずれを防止することができる。図示の例では、凹部６２及び凸部６４はそれぞれ半球面からなる。
【００５１】
凹部６２及び凸部６４と同様の凹部及び凸部は、箱状体２２の２つの側面２８と相対する箱状体５４の２つの側面５８にも設けることができる。
【００５２】
なお、前記連結手段については、図示の例に代えて、他の連結手段、例えばスナップ結合が可能である凹部及び凸部からなるものとすることができる。この場合、例えば前記凹部を前記箱状体の２つの側面にそれぞれ設け、前記凸部を前記箱状体の他の２つの側面にそれぞれ設けることができる。また、各側面に設けられる前記凹部又は凸部の数量は任意に定めることができる。
【図面の簡単な説明】
【００５３】
【図１】連結された複数の箱状体からなる複数段の板状体により形成された商品陳列用具の概略的な斜視図である。
【図２】箱状体の斜視図である。
【図３】箱状体の相互連結のための第１の過程の説明図である。
【図４】箱状体の相互連結のための第２の過程の説明図である。
【図５】箱状体の相互連結のための第３の過程の説明図である。
【図６】箱状体の相互連結のための第４の過程の説明図である。
【図７】相互連結されるさらに多数の箱状体の平面図である。
【図８】相互連結された２種類の箱状体からなる板状体の斜視図である。
【符号の説明】
【００５４】
１０  商品陳列用具
２０  ピース
２２  箱状体
２４  連結部
２６，２８，３０  箱状体の頂面、側面及び開放底面
３２  突起
３４  第１の切欠き
３６  第２の切欠き
３８，４０  突起のウエブ及びフランジ
４２，４４  第１の切欠きのスリット及び開口
５４  他の箱状体
６０  段部
６２，６４  凹部及び凸部
【図１】
0003120772.tif 000003
【図２】
0003120772.tif 000004
【図３】
0003120772.tif 000005
【図４】
0003120772.tif 000006
【図５】
0003120772.tif 000007
【図６】
0003120772.tif 000008
【図７】
0003120772.tif 000009
【図８】
0003120772.tif 000010